(57)【特許請求の範囲】
【請求項１】
ロッドと、このロッドの先端に取り付けられたネットリムと、このネットリムに、該ネットリムにおいて開口するように取り付けられた捕獲網と、前記捕獲網に沿ってループを形成し、かつこのループが小さくなるように引っ張られると前記捕獲網を閉じさせることとなるように前記捕獲網に係合されたワイヤとを有してなり、
前記ロッドは中空とされる一方、前記ワイヤは無端状とされるとともに前記ロッド内に挿通され、前記ロッドの先端側および後端側においてそれぞれ該ロッドの外部に露出してループを形成し、前記ロッドの先端側における前記ループ部分は前記捕獲網に係合されている動物捕獲具。
【請求項２】
前記ワイヤが形成する前記ループの大きさを固定可能かつ該固定を解除可能とするワイヤストッパをさらに有する請求項１記載の動物捕獲具。
【請求項３】
前記ロッドは伸縮可能とされている請求項１または２記載の動物捕獲具。
【発明の詳細な説明】
【０００１】
【発明の属する技術分野】
本発明は、動物を捕獲するために用いる動物捕獲具に関する。
【０００２】
【従来の技術】
従来は、逃げ出したペットや町中に現れた野生の動物等を捕獲する場合、適当な捕獲具がなく、通常の捕獲網等を使用していた。
【０００３】
【発明が解決しようとする課題】
このため、折角一旦は捕獲網を動物に被せても、捕獲網の開口部から動物がまた逃げてしまったり、その際、捕獲しようとする人が動物に噛まれたり、引っ掻かれたりして怪我することがあるという問題があった。
【０００４】
また、従来の通常の捕獲網では蛇を捕獲することは困難であるという問題もあった。
【０００５】
本発明は、このような従来の事情に鑑みてなされたもので、本発明の一つの目的は、一旦捕獲網内に動物を入れてしまえば、該捕獲網の開口部から動物が逃げ出せないようにすることができる動物捕獲具を提供することにある。
【０００６】
本発明の他の目的は、蛇も捕獲することができる動物捕獲具を提供することにある。
【０００７】
本発明の他の目的は、以下の説明から明らかになろう。
【０００８】
【課題を解決するための手段】
本発明による動物捕獲具は、ロッドの先端にネットリムを介して取り付けられた捕獲網に、該捕獲網に沿ってループを形成するようにワイヤを係合し、前記ループが小さくなるように前記ワイヤが引っ張られると前記捕獲網が閉じられるようにする（なお、本明細書において、「ワイヤ」とは必ずしも金属製のものに限定されず、一部に非金属材料を含んでいるものや、非金属材料のみからなるものをも含むものとする）。
【０００９】
本発明によれば、捕獲網内に動物を入れたならば、ワイヤを引っ張って前記ループを小さくして捕獲網を閉じるようにすれば、従来のように一旦捕獲網内に入った動物が捕獲網の開口部から逃げ出すことがなくなる。
【００１０】
さらに、本発明においては、前記ロッドは中空とされる一方、前記ワイヤは無端状とされるとともに前記ロッド内に挿通され、前記ロッドの先端側および後端側においてそれぞれ該ロッドの外部に露出してループを形成し、前記ロッドの先端側における前記ループ部分は前記捕獲網に係合される。これにより、蛇を捕獲するときは、ロッド後端側のループ内を蛇の体が貫通する状態とした上、ロッド先端側のループを引っ張ってロッド後端側のループを小さくすれば、ロッド後端側のループで蛇を締め付けて蛇を捕獲することができる。
【００１１】
また、前記ワイヤが形成する前記ループの大きさを固定可能かつ該固定を解除可能とするワイヤストッパをさらに設ければ、ワイヤから手を離しても、捕獲網を閉じた状態に保持したり、ロッド後端側のループを蛇等を締め付けた状態に保持したりすることができる。
【００１２】
【発明の実施の形態】
以下、本発明を実施例に基づいて説明する。
【００１３】
【実施例】
図１〜９は、本発明の一実施例を示す。この実施例において、ロッド１は中空（パイプ状）の金属製のアウターロッド１ａとこのアウターロッド１ａの内周側にスライド可能に嵌合された中空（パイプ状）の金属製のインナーロッド１ｂとを有してなり、アウターロッド１ａに対してインナーロッド１ｂをスライドすることにより全体の長さを伸縮可能とされている。前記アウターロッド１ａはロッド１の先端側、インナーロッド１ｂはロッド１の後端側をそれぞれ構成しており、次に説明する従来公知の機構によりアウターロッド１ａに対してインナーロッド１ｂを固定できるようになっている。
【００１４】
すなわち、前記アウターロッド１ａの先端部には短い筒状のスライド固定部材２が螺合されている。このスライド固定部材２の内周面とインナーロッド１ｂとの間にはＣの字状の開放部を有するリング（図示せず）が介装されており、スライド固定部材２を締め付けていないときはアウターロッド１ａに対してインナーロッド１ｂを自由にスライドできる一方、スライド固定部材２を締付方向に回転してスライド固定部材２を締め付けると、前記リングを介してアウターロッド１ａの内周面がインナーロッド１ｂの外周に押圧され、アウターロッド１ａに対してインナーロッド１ｂが固定されるようになっている。
【００１５】
前記アウターロッド１ａの先端部には環状に湾曲された金属製のネットリム３が取り付けられており、このネットリム３には捕獲網４が取り付けられている。この捕獲網４は、ナイロン糸を編んでなり、大略、一端が閉じられた筒状をなしており、ネットリム３において開口している。
【００１６】
前記インナーロッド１ｂの後端部には、ゴム製のワイヤガイド５が取り付けられており、このワイヤガイド５にはロッド１の軸方向と平行方向に１対のワイヤ穴６（図４および５参照）が貫通されている。前記インナーロッド１ｂの後端部付近の外周には、ワイヤガイド５に隣接してゴムまたはウレタンフォーム等の柔軟な材料からなるエンドグリップ７が被されている。
【００１７】
ワイヤ８は、図５に示されるように多数の細いワイヤを縒ってなるスチールワイヤ８ａをビニール樹脂等のプラスチックのチューブ８ｂで被覆してなり、図６に示されるように無端状とされている。このワイヤ８は、ロッド１の先端側および後端側においてそれぞれ該ロッド１の外部に露出してループ８ｃ，８ｄを形成するようにロッド１内に挿通されている。なお、ロッド１の後端部においては、図４および５に示されるように、ワイヤ８は１対のワイヤ穴６に挿通されており、ロッド１の後端側におけるワイヤ８のループ８ｄ部分は蛇等捕獲部を構成している。他方、前記ワイヤ８のロッド１の先端側におけるループ８ｃ部分は、捕獲網４の網の目に該網の目を縫うようにして挿通されて捕獲網４をほぼ１周している。これによりワイヤ８は、ロッド１の後端側に引っ張られてループ８ｃを小さくされると、捕獲網４を閉じさせることとなるように捕獲網４に係合されている。
【００１８】
ワイヤストッパ９は、ストッパ本体９ａと、このストッパ本体９ａとは別体のスライド部材９ｂとからなっている。図３に示されるように、前記ストッパ本体９ａには穴１０が貫通されており、この穴１０にはスライド部材９ｂがスライド可能に収容されている。なお、スライド部材９ｂには突起部１１（図８参照）が設けられており、この突起部１１がストッパ本体９ａに形成された直線状の溝穴１２に嵌合されていることにより、スライド部材９ｂは穴１０の長さ方向に移動可能でかつストッパ本体９ａから脱落できないようになっている。図３に示されるように、前記ワイヤ８のうちの、ロッド１の先端と捕獲網４に係合されている部分との間の部分は、ワイヤストッパ９の穴１０の内周面とスライド部材９ｂとの間に挟まれるようにして穴１０に挿通されている。
【００１９】
次に、本実施例の作動をその使用方法とともに説明する。
【００２０】
ロッド１の全長は、スライド固定部材２を緩めた状態でアウターロッド１ａに対してインナーロッド１ｂをスライドすることにより調整でき、所望の長さに調整したところでスライド固定部材２を締め付ければ、その長さに固定することができる。
【００２１】
また、捕獲網４内に動物を入れたならば、ロッド１後端側のループ８ｄを引っ張ってロッド１先端側のループ８ｃを小さくすれば、捕獲網４が閉じられる。したがって、一旦捕獲網４内に動物を入れてしまえば、このようにして捕獲網４を閉じることにより、該捕獲網４の開口部から動物が逃げ出せないようにすることができる。なお、上述のようにして捕獲網４を閉じた後、ワイヤストッパ９のスライド部材９ｂを図９のようにストッパ本体９ａ内により深く挿入される方向に移動すると、ワイヤ８がストッパ本体９ａの穴１０の内周面とスライド部材９ｂとの間にきつく挟まれ、ワイヤ８がストッパ本体９ａおよびスライド部材９ｂに対して固定される。したがって、その後ワイヤ８から手を離しても、ワイヤ８がループ８ｃが大きくなる方向（すなわち捕獲網４が開く方向）に引っ張られることによりループ８ｃが大きくなって捕獲網４が開いてしまうことはない。
【００２２】
他方、捕獲網４内に収容した動物を捕獲網４から出したい等の理由により捕獲網４を開きたいときは、図３のようにスライド部材９ｂをストッパ本体９ａに対する挿入度合いが浅くなる方向に引っ張れば、ストッパ本体９ａの穴１０の内周面とスライド部材９ｂとの間の間隙が大きくなり、ストッパ本体９ａおよびスライド部材９ｂに対してワイヤ８が自由に動けるようになるので、ロッド１先端側のループ８ｃを大きくし、ひいては捕獲網４を開くことができる。
【００２３】
また、蛇を捕獲するときは、図４のようにロッド１後端側のループ８ｄ内を蛇１２の体が貫通する状態とした上、ロッド１先端側のループ８ｃを引っ張って図４の一点鎖線で示されるようにロッド１後端側のループ８ｄを小さくすれば、ロッド１後端側のループ８ｄで蛇１２を締め付けて蛇１２を捕獲することができる。なお、このようにしてロッド１後端側のループ８ｄで蛇１２を締め付けた後、ワイヤストッパ９のスライド部材９ｂを図９のようにストッパ本体９ａ内により深く挿入される方向に移動すると、ワイヤ８がワイヤストッパ９の穴１０の内周面とスライド部材９ｂとの間にきつく挟まれ、ワイヤ８がストッパ本体９ａおよびスライド部材９ｂに対して固定される。したがって、その後ワイヤ８から手を離し、ワイヤ８がループ８ｄが広がる方向に引っ張られても、ワイヤストッパ９がネットリム３またはロッド１の先端に当接した時点でワイヤ８はそれ以上ロッド１に対して移動できなくなるので、ロッド１後端側のループ８ｄが開いてしまうことはない。
【００２４】
ロッド１後端側のループ８ｄで締め付けた蛇１２を解放したいときは、前記同様に図９のようにスライド部材９ｂをストッパ本体９ａに対する挿入度合いが浅くなる方向に引っ張れば、ストッパ本体９ａの穴１０の内周面とスライド部材９ｂとの間の間隙が大きくなり、ストッパ本体９ａおよびスライド部材９ｂに対してワイヤ８が自由に動けるようになるので、ロッド１後端側のループ８ｄを大きくして蛇１２を解放することができる。
【００２５】
なお、ロッド１後端側のループ８ｄは、犬等の動物の首に引っかける等により、蛇以外の動物の捕獲にも使用することができる。
【００２６】
【発明の効果】
以上のように本発明は、
（イ）一旦捕獲網内に動物を入れてしまえば、該捕獲網を閉じて該捕獲網の開口部から動物が逃げ出せないようにすることができる、
（ロ）ロッドの後端側にもワイヤによりループが形成されるようにすることにより、該ループにより蛇等も捕獲することができる、
等の優れた効果を得られるものである。
【図面の簡単な説明】
【図１】本発明による動物捕獲具の一実施例を捕獲網を開いた状態で示す平面図である。
【図２】前記実施例を捕獲網を開いた状態で示す正面図である。
【図３】前記実施例のロッド先端部付近を示す拡大断面図である。
【図４】前記実施例のロッド後端部付近を示す拡大断面図である。
【図５】前記実施例のワイヤガイドを示す側面図である。
【図６】前記実施例のワイヤを示す平面図である。
【図７】前記実施例を捕獲網を閉めた状態で示す正面図である。
【図８】前記実施例におけるワイヤストッパを図３の断面とは垂直に断面して示す拡大断面図である。
【図９】前記実施例におけるワイヤストッパをワイヤを拘束した状態において示す拡大断面図である。
【符号の説明】
１    ロッド
１ａ  アウターロッド
１ｂ  インナーロッド
３    ネットリム
４    捕獲網
８    ワイヤ
８ｃ  ロッド先端側におけるループ
８ｄ  ロッド後端側におけるループ
９    ワイヤストッパ
【図１】
0003709042.tif 000002
【図２】
0003709042.tif 000003
【図３】
0003709042.tif 000004
【図４】
0003709042.tif 000005
【図５】
0003709042.tif 000006
【図６】
0003709042.tif 000007
【図７】
0003709042.tif 000008
【図８】
0003709042.tif 000009
【図９】
0003709042.tif 000010